(57)【要約】【課題】組み立てや保守点検が容易で、かつ利便性の高い低コストのポンプおよびそれを備えた液体供給装置を提供する。【解決手段】液体を吸排する２枚の羽根車２４、２５を直列に内蔵したポンプ部１３と、ポンプ部１３が収納され液体の吸入口１１と吐出口１２が配置されたポンプケース１４と、ポンプ部１３を駆動するモータ部１０とを有し、前記羽根車２４、２５の互いに対向する側の中心部に所定の内径と長さをもつ中空状の突起部の凸型の突起３２と、突起部の凸型の突起３２と羽根車２４、２５を貫通して羽根車２４、２５を回転自在に支持する軸３０とを備え、前記突起部の凸型の突起３２の表面に所定の幅と長さをもつ凸型の嵌合部を設け、両端部に凸型の嵌合部と嵌合する凹型の嵌合部が形成され対向する突起を接続して羽根車２４、２５を一体に回転させる接続管２８を配置した。【選択図】図２
2006250066.tif 000002
【特許請求の範囲】
【請求項１】
液体を吸排する少なくとも２枚の羽根車を直列に内蔵したポンプ部と、ポンプ部が収納され液体の吸入口と吐出口が配置されたポンプケースと、ポンプ部を駆動するモータ部とを有し、前記羽根車の互いに対向する側の中心部に所定の内径と長さをもつ中空状の突起と、突起と羽根車を貫通して羽根車を回転自在に支持する軸とを備え、前記突起の表面に所定の幅と長さをもつ凸型の嵌合部を設け、両端部に凸型の嵌合部と嵌合する凹型の嵌合部が形成され対向する突起を接続して羽根車を一体に回転させる接続管を配置したことを特徴とするポンプ。
【請求項２】
前記羽根車の間に、吸入口側の羽根車が吐出した液体を隣接された吐出口側の羽根車に導入する案内羽根と、吐出口側の羽根車が吐出した液体が吸入口側の羽根車へ逆流することを防止する仕切り板を設け、案内羽根と仕切板をポンプケースに固定する所定の高さをもった環状の突起をポンプケースの内側の所定の場所に配置したことを特徴とする請求項１記載のポンプ。
【請求項３】
請求項１または２記載のポンプを備えたことを特徴とする液体供給装置。
【発明の詳細な説明】
【技術分野】
【０００１】
モータにより駆動され、液体を吸入して吐出するポンプおよびそれを備えた液体供給装置に関する。
【背景技術】
【０００２】
常時満水状態を維持して循環して使用されることが多いポンプでは、軸シール部分から液漏れが発生する場合があり、このため羽根車が存在する通水部分とモーターが存在する駆動機構部分とを分離して、軸シール構造が設けられていない例えばキャンドモーターポンプが使用されている。
【０００３】
キャンドモーターポンプにおいては、隔壁内に羽根車と一体となったロータを収納し、これを軸シールせずに隔壁で密閉し、外部に設けたステータで発生する回転磁力を隔壁を介してロータのマグネットに作用させて駆動する構造となっている。
【０００４】
この他にも、モーターで円盤状や筒状のマグネットを回転させ、隔壁を介して内部のロータのマグネットと磁気結合させて回転駆動するマグネットカップリング式の電磁駆動ポンプが利用されている。
【０００５】
これらのキャンドモーターポンプやマグネットカップリング式の電磁駆動ポンプは、ポンプケース内の羽根車に対して電磁力で動力伝達して軸シール構造を有しないことからシールレスポンプと呼ばれている。
【０００６】
このようなシールレスポンプのなかで、近年、市場からは、高揚程、高信頼性の小型ポンプが要望されている。
【０００７】
これを実現するためのポンプとして、軸が隔壁に固定され、その回りを永久磁石を配したロータと一体に形成された羽根車が回転する構造となっている軸が回転しない多段シールレスポンプが考えられるが、軸が回転しないために吐出口側の羽根車の動力を吸入口側の羽根車に伝え、一体に回転するような構造にする必要が生じていた。
【０００８】
しかしながら、軸の構造により組立性、加工性等を考慮した様々な構造が採用されており、羽根車の伝達が軸によって行われるような軸回転タイプのマグネット駆動ポンプの場合は、羽根車の中心穴に平坦部を形成し、軸の外周面にはこの平坦部に沿った面取り部を設けており、羽根車の中心穴に３分割した軸を差込んで一体に回転するようになっている（例えば特許文献１参照）。
【０００９】
これにより比較的短い軸を直列に連結することにより長尺状の軸を形成でき、ひいてはポンプ自体のコストダウンを図ることができる。
【００１０】
一方、軸が回転しないポンプの場合は、ネジ付キャップにより２つの羽根車を中間部で嵌脱自在に結合するようになっている（例えば特許文献２参照）。
【００１１】
これにより、解体をし易くし、保守点検時の利便性を向上させることができる。
【特許文献１】特開平１０−２３１７９３号公報
【特許文献２】特開昭５２−１４９６０２号公報
【発明の開示】
【発明が解決しようとする課題】
【００１２】
しかしながら前記従来の技術の（特許文献１）に記載のケースでは、軸に直接負荷がかかり、かつ回転トルクを必要とするため、振動や騒音が大きくなることがあった。
【００１３】
また前記従来の技術の（特許文献２）に記載のケースでは、比較的大型のポンプのみに適用される場合が多く、小型ポンプに採用するには、構造が複雑になってしまいコストアップにつながっていた。
【００１４】
本発明はこのような従来の課題を解決するものであり、組み立てや保守点検が容易で、利便性の高い低コストのポンプを提供することを目的とする。
【課題を解決するための手段】
【００１５】
本発明は、上記目的を達成するために、液体を吸排する少なくとも２枚の羽根車を直列に内蔵したポンプ部と、ポンプ部が収納され液体の吸入口と吐出口が配置されたポンプケースと、ポンプ部を駆動するモータ部とを有し、前記羽根車の互いに対向する側の中心部に所定の内径と長さをもつ中空状の突起と、突起と羽根車を貫通して羽根車を回転自在に支持する軸とを備え、前記突起の表面に所定の幅と長さをもつ凸型の嵌合部を設け、両端部に凸型の嵌合部と嵌合する凹型の嵌合部が形成され対向する突起を接続して羽根車を一体に回転させる接続管を配置したことを特徴としている。
【００１６】
この構成により、ポンプ部に内蔵された羽根車が一体に回転するために、吐出口側の羽根車の動力を吸入口側の羽根車に確実に伝えることができ、同一の羽根を用いても接続管の長さを変えることにより羽根車の間隔を自在に調節できるという作用が達成できる。
【発明の効果】
【００１７】
本発明は、組み立てや保守点検が容易で、利便性の高い低コストのポンプおよびそれを備えた液体供給装置を提供できるという効果を奏する。
【発明を実施するための最良の形態】
【００１８】
本発明の実施の形態は、液体を吸排する少なくとも２枚の羽根車を直列に内蔵したポンプ部と、ポンプ部が収納され液体の吸入口と吐出口が配置されたポンプケースと、ポンプ部を駆動するモータ部とを有し、羽根車の互いに対向する側の中心部に所定の内径と長さをもつ中空状の突起と、突起と羽根車を貫通して羽根車を回転自在に支持する軸とを備え、突起の表面に所定の幅と長さをもつ凸型の嵌合部を設け、両端部に凸型の嵌合部と嵌合する凹型の嵌合部が形成され対向する突起を接続して羽根車を一体に回転させる接続管を配置するようにしたものである。
【００１９】
これにより、ポンプ部に内蔵された羽根車が一体に回転するために、吐出口側の羽根車の動力を吸入口側の羽根車に確実に伝えることができ、同一の羽根を用いても接続管の長さを変えることにより羽根車の間隔を自在に調節できるために、組み立てや保守点検が容易で、利便性の高い低コストのポンプを提供できる。
【００２０】
また、羽根車の間に、吸入口側の羽根車が吐出した液体を隣接された吐出口側の羽根車に導入する案内羽根と、吐出口側の羽根車が吐出した液体が吸入口側の羽根車へ逆流することを防止する仕切り板を設け、案内羽根と仕切板をポンプケースに固定する所定の高さをもった環状の突起をポンプケースの内側の所定の場所に配置してもよい。
【００２１】
これにより、羽根車の接続にビス等を使用することがなく、ポンプの組み立てを容易にすることができる。
【００２２】
そして上記ポンプを給水装置等の液体供給装置に組み込むようにすれば、液体供給装置の使い勝手を大いに高めることができる。
【実施例】
【００２３】
以下本発明の実施例について図面を用いて説明する。
【００２４】
（実施例１）
図１の実施例１および２に示す浴槽水の循環装置の全体概要図に示すように、人工大理石やステンレスまたはＦＲＰ（繊維強化プラスチック）等からなる浴槽１があり、その浴槽１の外側には浴槽１内の浴槽水２を吸入して吐出するためのポンプ３と、浴槽水２を加熱するためのガスや電気または灯油等を用いた加熱部４が設置されている。
【００２５】
浴槽１の下部の側面には浴槽水２の流出口５が取りつけられていて、その流出口５には耐熱塩ビ（塩化ビニル）やステンレス等からなる循環往路６が接続されている。
【００２６】
循環往路６の途中にはポンプ３が取りつけられていて、さらに循環往路６は加熱部４に接続されている。
【００２７】
そして加熱部４には同じく耐熱塩ビ（塩化ビニル）やステンレス等からなる循環復路７が接続されていて、その循環復路７は浴槽１の側面であって流出口５の上方に取りつけられた流入口８に接続されている。
【００２８】
図２の実施例１および２に示すポンプの断面図および図３の実施例１および２に示すポンプの簡易分解斜視図に示すように、ポンプ３の本体９の上側には浴槽水２の吸入口１１と吐出口１２が設けられ浴槽水２を吸排するポンプ部１３を内蔵したポリフェニレンサルファイド（ＰＰＳ）等のプラスチックやステンレス等の金属からなるポンプケース１４が配置されている。
【００２９】
下側にはポンプ３の駆動源となるモータ部１０を収納し、モータ部１０とポンプ部１３を隔離してポンプ部１３からモータ部１０への浴槽水２の浸入を防止するためのアルミ等の金属や耐熱性プラスチック等からなる防水隔壁１５が設置されている。
【００３０】
モータ部１０は、磁界を発生させる円筒形状のステータ１６と、そのステータ１６を制御する制御部１７と、ステータ１６および制御部１７を保護するために注入され硬化した樹脂１８と、樹脂１８の露出を防ぐ蓋１９から構成されていて、ステータ１６は防水隔壁１５の凹状になった内側に取りつけられている。
【００３１】
ステータ１６の下側には、例えばトランスやトランジスタ等の電子部品２０および２１を備えた制御部１７が取りつけられている。
【００３２】
一方ポンプ部１３は、ステータ１６が発生させた磁界により回転駆動され永久磁石等からなる円筒形状のロータ２２があり、そのロータ２２と一体に表面に取りつけられた複数の羽根２３が形成されている。
【００３３】
その複数の羽根２３により浴槽水２を吸排するＰＰＳ等のプラスチック等からなる同じく円筒形状の吐出口側の羽根車２４と、同じくＰＰＳ等のプラスチック等からなる円筒形状の吸入口側の羽根車２５が取りつけられている。
【００３４】
吐出口側の羽根車２４と吸入口側の羽根車２５を仕切るステンレス等の金属からなる円盤形状の仕切り板２６があり、吸入口側の羽根車２５から周囲方向に排出された水を吐出口側の羽根車２４の中央吸込み口へ導水するＰＰＳ等のプラスチック等からなる案内羽根２７が配置されている。
【００３５】
吐出口側の羽根車２４と吸入口側の羽根車２５の間には、その吐出口側の羽根車２４と吸入口側の羽根車２５を連結するＰＰＳ等のプラスチック等からなる円筒形状の接続管２８が配置されている。
【００３６】
吐出口側の羽根車２４と吸入口側の羽根車２５の回転の中心には、焼成カーボン或いはモールドカーボンからなる軸受２９が取り付けられていて、ロータ２２と、吐出口側の羽根車２４および吸入口側の羽根車２５を回転自在に支持するステンレス等の金属からなる円柱形状の軸３０が配置されている。
【００３７】
そして軸３０の両側には軸受２９と摺接するセラミック等からなる中空円板形状の軸受板３１が取りつけられている。
【００３８】
さらに、ロータ２２は防水隔壁１５を介してステータ１６と対向するように設置されている。
【００３９】
ここで、図４の実施例１および２に示す羽根車と接続管の簡易分解斜視図に示すように吐出口側の羽根車２４と吸入口側の羽根車２５の接合は、吐出口側の羽根車２４の吸入口側突起部、吸入口側の羽根車２５の吐出口側突起部に十字の凸型の嵌合部を設け、その凸型の嵌合部の形状に合わせて接続管２８の両端部を切欠いた形状にし、吐出口側の羽根車２４の吸入口側突起部の凸型の嵌合部３２に接続管２８の凹型の嵌合部３３を挿入し、接続管２８の吸入口側凹型の嵌合部３３に吸入口側の羽根車２５の吐出口側突起部の凸型の嵌合部３２を挿入する。
【００４０】
よって、吐出口側の羽根車２４と吸入口側の羽根車２５の間に接続管２８を挿入し、連結することにより、吐出口側の羽根車２４の動力を吸入口側の羽根車２５に伝え、一体に回転することができ、同一の羽根を用いても接続管の長さを変えることにより羽根車の間隔を自在に調節できる。
【００４１】
以上の構成において、本実施例１におけるポンプおよびそのポンプを備えた浴槽水循環装置の動作を図１から図３を用いて説明する。
【００４２】
ポンプ３において制御部１７により制御されたステータ１６が磁界を発生させると、その磁界によりロータ２２が回転駆動される。
【００４３】
ロータ２２が回転駆動されると、ロータ２２と一体に形成された吐出口側の羽根車２４が同じく回転駆動され、接続管２８により、吸入口側の羽根車２５が回転駆動されることでポンプ３が駆動される。
【００４４】
ポンプ３が駆動されると、浴槽水２は浴槽１の下部側面に取りつけられた流出口５より循環往路６に流入し、循環往路６を流れてポンプ３の上部側面に設置された吸入口１１よりポンプ３内の吸入口側の羽根車２５に吸入される。
【００４５】
吸入された浴槽水２は、回転する吸入口側の羽根車２５の表面に形成された複数の羽根２３により周囲方向へ圧送され、案内羽根２７の周囲に設けられた羽根により周囲切欠き口に導水され、この切欠き口より案内羽根２７と仕切り板２６により区切られた吐出口側の羽根車２４の吸込み室へ導水され、案内羽根２７の吐出口側に設けられた戻り羽根により吐出口ポンプの中央吸込み口に導水され、吐出口側の羽根車２４に吸入される。
【００４６】
吸入された浴槽水２は、回転する吐出口側の羽根車２４の表面に形成された複数の羽根２３により周囲方向へ圧送され、側面に配置された吐出口１２よりポンプ３外へ吐出される。
【００４７】
吐出された浴槽水２は、吐出口１２に接続された循環往路６を通って、ガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【００４８】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【００４９】
以上のように本実施例１によれば、吐出口側の羽根車２４の吸入口側突起部、吸入口側の羽根車２５の吐出口側突起部に十字の凸型の嵌合部を設け、その凸型の嵌合部の形状に合わせて接続管２８の両端部を切欠いた形状にし、吐出口側の羽根車２４の吸入口側突起部の凸型の嵌合部３２に接続管２８の凹型の嵌合部３３を挿入し、接続管２８の吸入口側凹型の嵌合部３３に吸入口側の羽根車２５の吐出口側突起部の凸型の嵌合部３２を挿入することで、吐出口側の羽根車２４と吸入口側の羽根車２５を連結することができ、吐出口側の羽根車２４の動力を吸入口側の羽根車２５に伝え、一体に回転することができ、同一の羽根を用いても接続管の長さを変えることにより羽根車の間隔を自在に調節できる。
【００５０】
よって、吐出口側の羽根車２４と吸入口側の羽根車２５の間に接続管２８を挿入することで、容易に組み立てることができ、保守点検の容易な、利便性の高い低コストのポンプを提供することができる。
【００５１】
（実施例２）
図１に示すように、人工大理石やステンレスまたはＦＲＰ（繊維強化プラスチック）等からなる浴槽１があり、その浴槽１の外側には浴槽１内の浴槽水２を吸入して吐出するためのポンプ３と、浴槽水２を加熱するためのガスや電気または灯油等を用いた加熱部４が設置されている。
【００５２】
浴槽１の下部の側面には浴槽水２の流出口５が取りつけられていて、その流出口５には耐熱塩ビ（塩化ビニル）やステンレス等からなる循環往路６が接続されている。
【００５３】
循環往路６の途中にはポンプ３が取りつけられていて、さらに循環往路６は加熱部４に接続されている。
【００５４】
そして加熱部４には同じく耐熱塩ビ（塩化ビニル）やステンレス等からなる循環復路７が接続されていて、その循環復路７は浴槽１の側面であって流出口５の上方に取りつけられた流入口８に接続されている。
【００５５】
図２および図３に示すように、ポンプ３の本体９の上側には浴槽水２の吸入口１１と吐出口１２が設けられ浴槽水２を吸排するポンプ部１３を内蔵したポリフェニレンサルファイド（ＰＰＳ）等のプラスチックやステンレス等の金属からなるポンプケース１４が配置されている。
【００５６】
下側にはポンプ３の駆動源となるモータ部１０を収納し、モータ部１０とポンプ部１３を隔離してポンプ部１３からモータ部１０への浴槽水２の浸入を防止するためのアルミ等の金属や耐熱性プラスチック等からなる防水隔壁１５が設置されている。
【００５７】
モータ部１０は、磁界を発生させる円筒形状のステータ１６と、そのステータ１６を制御する制御部１７と、ステータ１６および制御部１７を保護するために注入され硬化した樹脂１８と、樹脂１８の露出を防ぐ蓋１９から構成されていて、ステータ１６は防水隔壁１５の凹状になった内側に取りつけられている。
【００５８】
ステータ１６の下側には、例えばトランスやトランジスタ等の電子部品２０および２１を備えた制御部１７が取りつけられている。
【００５９】
一方ポンプ部１３は、ステータ１６が発生させた磁界により回転駆動され永久磁石等からなる円筒形状のロータ２２があり、そのロータ２２と一体に表面に取りつけられた複数の羽根２３が形成されている。
【００６０】
その複数の羽根２３により浴槽水２を吸排するＰＰＳ等のプラスチック等からなる同じく円筒形状の吐出口側の羽根車２４と、同じくＰＰＳ等のプラスチック等からなる円筒形状の吸入口側の羽根車２５が取りつけられている。
【００６１】
吐出口側の羽根車２４と吸入口側の羽根車２５を仕切るステンレス等の金属からなる円盤形状の仕切り板２６があり、吸入口側の羽根車２５から周囲方向に排出された水を吐出口側の羽根車２４の中央吸込み口へ導水するＰＰＳ等のプラスチック等からなる案内羽根２７が配置されている。
【００６２】
吐出口側の羽根車２４と吸入口側の羽根車２５の間には、その吐出口側の羽根車２４と吸入口側の羽根車２５を連結するＰＰＳ等のプラスチック等からなる円筒形状の接続管２８が配置されている。
【００６３】
吐出口側の羽根車２４と吸入口側の羽根車２５の回転の中心には、焼成カーボン或いはモールドカーボンからなる軸受２９が取り付けられていて、ロータ２２と、吐出口側の羽根車２４および吸入口側の羽根車２５を回転自在に支持するステンレス等の金属からなる円柱形状の軸３０が配置されている。
【００６４】
そして軸３０の両側には軸受２９と摺接するセラミック等からなる中空円板形状の軸受板３１が取りつけられている。
【００６５】
さらに、ロータ２２は防水隔壁１５を介してステータ１６と対向するように設置されている。
【００６６】
ここで、図４に示すように吐出口側の羽根車２４と吸入口側の羽根車２５の接合は、吐出口側の羽根車２４の吸入口側突起部、吸入口側の羽根車２５の吐出口側突起部に十字の凸型の嵌合部を設け、その凸型の嵌合部の形状に合わせて接続管２８の両端部を切欠いた形状にし、吐出口側の羽根車２４の吸入口側突起部の凸型の嵌合部３２に接続管２８の凹型の嵌合部３３を挿入し、接続管２８の吸入口側凹型の嵌合部３３に吸入口側の羽根車２５の吐出口側突起部の凸型の嵌合部３２を挿入する。
【００６７】
よって、吐出口側の羽根車２４と吸入口側の羽根車２５の間に接続管２８を挿入し、連結することにより、吐出口側の羽根車２４の動力を吸入口側の羽根車２５に伝え、一体に回転することができ、同一の羽根を用いても接続管の長さを変えることにより羽根車の間隔を自在に調節できる。
【００６８】
また、図５の実施例１および２に示す案内羽根と仕切り板の簡易分解斜視図に示すように、防水隔壁１５の内側段差部の周辺部に溝３４を形成し、その溝３４の位置に合わせて、その溝３４と同形状に周辺部を切欠いた仕切り板２６を置き、その上に、溝３４と同形状の凸型の嵌合部３５を周辺部に設けた案内羽根２７を置き、その凸型の嵌合部３５を挿入し、仕切り板２６の周方向の位置決め固定をし、さらにポンプケース１４の周辺部に環状の凸型の嵌合部３６を設け、この凸型の嵌合部で案内羽根２７の周辺部に設けた段差部３７を押さえる。
【００６９】
よってポンプケース１４と防水隔壁１５をＯリングにより水漏れを防止するためにシールし、周囲をビスあるいは溶着で固定することにより、仕切り板２６と、案内羽根２７は固定される。
【００７０】
以上の構成において、本実施例２におけるポンプおよびそのポンプを備えた浴槽水循環装置の動作を図１から図３を用いて説明する。
【００７１】
ポンプ３において制御部１７により制御されたステータ１６が磁界を発生させると、その磁界によりロータ２２が回転駆動される。
【００７２】
ロータ２２が回転駆動されると、ロータ２２と一体に形成された吐出口側の羽根車２４が同じく回転駆動され、接続管２８により、吸入口側の羽根車２５が回転駆動されることでポンプ３が駆動される。
【００７３】
ポンプ３が駆動されると、浴槽水２は浴槽１の下部側面に取りつけられた流出口５より循環往路６に流入し、循環往路６を流れてポンプ３の上部側面に設置された吸入口１１よりポンプ３内の吸入口側の羽根車２５に吸入される。
【００７４】
吸入された浴槽水２は、回転する吸入口側の羽根車２５の表面に形成された複数の羽根２３により周囲方向へ圧送され、案内羽根２７の周囲に設けられた羽根により周囲切欠き口に導水され、この切欠き口より案内羽根２７と仕切り板２６により区切られた吐出口側の羽根車２４の吸込み室へ導水され、案内羽根２７の吐出口側に設けられた戻り羽根により吐出口ポンプの中央吸込み口に導水され、吐出口側の羽根車２４に吸入される。
【００７５】
吸入された浴槽水２は、回転する吐出口側の羽根車２４の表面に形成された複数の羽根２３により周囲方向へ圧送され、側面に配置された吐出口１２よりポンプ３外へ吐出される。
【００７６】
吐出された浴槽水２は、吐出口１２に接続された循環往路６を通って、ガスや電気または灯油等を用いた加熱部４に導入され所定の温度まで加熱された後、その加熱部４に接続された循環復路７を流れて、浴槽１の側面の流出口５の上側に取りつけられた流入口８より浴槽１内へ流入する。
【００７７】
このように浴槽水２をポンプ３を用いることにより循環し、加熱部４において所定の温度まで加熱することで、浴槽１内の浴槽水２を所定の温度まで加熱し、かつ加熱後も浴槽水２の循環を継続することで浴槽水２の温度を常時所定温度に保つことが可能になる。
【００７８】
以上のように本実施例２によれば、吐出口側の羽根車２４の吸入口側突起部、吸入口側の羽根車２５の吐出口側突起部に十字の凸型の嵌合部を設け、その凸型の嵌合部の形状に合わせて接続管２８の両端部を切欠いた形状にし、吐出口側の羽根車２４の吸入口側突起部の凸型の嵌合部３２に接続管２８の凹型の嵌合部３３を挿入し、接続管２８の吸入口側凹型の嵌合部３３に吸入口側の羽根車２５の吐出口側突起部の凸型の嵌合部３２を挿入することで、吐出口側の羽根車２４と吸入口側の羽根車２５を連結することができ、吐出口側の羽根車２４の動力を吸入口側の羽根車２５に伝え、一体に回転することができ、同一の羽根を用いても接続管の長さを変えることにより羽根車の間隔を自在に調節できる。
【００７９】
よって、吐出口側の羽根車２４と吸入口側の羽根車２５の間に接続管２８を挿入することで、容易に組み立てることができ、保守点検の容易な、利便性の高い低コストのポンプを提供することができる。
【００８０】
また、防水隔壁１５の内側段差部の周辺部に溝３４を形成し、その溝３４の位置に合わせて、その溝３４と同形状に周辺部を切欠いた仕切り板２６を置き、その上に、溝３４と同形状の凸型の嵌合部３５を周辺部に設けた案内羽根２７を置いて、その凸型の嵌合部３５を挿入し、仕切り板２６の周方向の位置決め固定をし、さらにポンプケース１４の周辺部に環状の凸型の嵌合部３６を設け、この凸型の嵌合部で案内羽根２７の周辺部に設けた段差部３７を押さえ、ポンプケース１４と防水隔壁１５をＯリングにより水漏れを防止するためにシールし、周囲をビスあるいは溶着で固定することにより、仕切り板２６と、案内羽根２７は固定することができる。
【００８１】
よって、ビスを使うことなく、案内羽根、仕切り板を順に挿入するだけで容易に組み立てることができ、保守点検の容易な、利便性の高い低コストのポンプを提供することができる。
【００８２】
なお、以上の実施例において、接続管２８を挿入する吐出口側の羽根車２４の吸入口側突起部、吸入口側の羽根車２５の吐出口側突起部の凸型の嵌合部３２形状を十字としたが、Ｙ字、またはＩ字、または多数の凸型の嵌合部を設けても同様の効果が得られる。
【００８３】
そして本実施例においては、液体供給装置の一実施例として浴槽水循環装置を示しているが、例えば井戸ポンプ装置や給湯装置または排水供給装置等、どのような液体供給装置であっても良い。
【産業上の利用可能性】
【００８４】
本発明のポンプは、例えば燃料電池装置やヒートポンプ装置等に使用される様々なポンプおよびそれを備えた液体供給装置への応用が期待できる。
【図面の簡単な説明】
【００８５】
【図１】実施例１および２に示す浴槽水の循環装置の全体概要図
【図２】実施例１および２に示すポンプの断面図
【図３】実施例１および２に示すポンプの簡易分解斜視図
【図４】実施例１および２に示す羽根車と接続管の簡易分解斜視図
【図５】実施例１および２に示す案内羽根と仕切り板の簡易分解斜視図
【符号の説明】
【００８６】
１    浴槽
２    浴槽水
３    ポンプ
４    加熱部
９    本体
１０    モータ部
１３    ポンプ部
１４    ポンプケース
１５    防水隔壁
１６    ステータ
１７    制御部
２２    ロータ
２４    吐出口側の羽根車
２５    吸入口側の羽根車
２６    仕切り板
２７    案内羽根
２８    接続管
２９    軸受
３０    軸
３１    軸受板
３２    突起部の凸型の嵌合部
３６    環状の凸型の嵌合部
【図１】
2006250066.tif 000003
【図２】
2006250066.tif 000004
【図３】
2006250066.tif 000005
【図４】
2006250066.tif 000006
【図５】
2006250066.tif 000007